(57)【要約】    【課題】制御機に居室親機の動作プログラムを入力すれば、全ての居室親機に当該動作プログラムを送信し、書き換えられるようにする。    【解決手段】居住者を呼び出す呼出部４４、居住者と通話を行なう集合玄関通話部４１、４２、来訪者を撮像する集合玄関カメラ４３を有する集合玄関機４ａ、…と、玄関機からの呼び出しを報知し来訪者と通話するための居室通話部１１、玄関カメラの映像を表示するモニタ１２を有する居室親機１ａ、…と、玄関機、居室親機が接続され、それぞれを制御する制御機３とを備える。制御機は、親機の機能の追加、変更の際に親機の動作プログラムを追加、変更する追加、変更先データを含むデータが入力され、追加、変更先データに基づき追加、変更データを親機に対して送信するための制御機ＣＰＵ３１を有し、親機は動作プログラム追加、変更中である旨をモニタ上で表示させるための居室親機ＣＰＵ、追加、変更残り時間を文字、アイコンまたは数値で表示するためのタイマを有する。    【選択図】図１
2005109803.tif 000002
【特許請求の範囲】
【請求項１】
集合玄関に設置され来訪者が居住者を呼び出すための呼出部（４４）、前記居住者と通話を行なうための集合玄関通話部（４１、４２）、前記来訪者を撮像するための集合玄関カメラ（４３）を有する集合玄関機（４ａ、４ｂ、４ｃ、…）と、前記集合玄関機からの呼び出しを報知するとともに前記来訪者と通話するための居室通話部（１１）、前記集合玄関カメラで撮像した映像を表示するモニタ（１２）を有する複数の居室親機（１ａ、１ｂ、１ｃ、…）と、前記集合玄関機、前記居室親機がそれぞれ接続され、前記集合玄関機、前記居室親機をそれぞれ制御するための制御機（３）とを備え、
前記制御機は、前記居室親機の機能の追加、変更を行う場合に前記居室親機の動作プログラムを追加、変更するための追加、変更先データを含む追加、変更データが入力され、前記追加、変更先データに基づいて前記追加、変更データを前記居室親機に対して送信するための制御機ＣＰＵ（３１）を有することを特徴とする集合住宅インターホンシステム。
【請求項２】
集合玄関に設置され来訪者が居住者を呼び出すための呼出部（４４）、前記居住者と通話を行なうための集合玄関通話部（４１、４２）、前記来訪者を撮像するための集合玄関カメラ（４３）を有する集合玄関機（４ａ、４ｂ、４ｃ、…）と、前記集合玄関機からの呼び出しを報知するとともに前記来訪者と通話するための居室通話部（１１）、前記集合玄関カメラで撮像した映像を表示するモニタ（１２）とを有する複数の居室親機（１ａ、１ｂ、１ｃ、…）と、前記集合玄関機、前記居室親機がそれぞれ接続され、前記集合玄関機、前記居室親機をそれぞれ制御するための制御機（３）とを備え、
前記制御機は、前記居室親機の機能の追加、変更を行う場合に前記居室親機の動作プログラムを追加、変更するための追加、変更先データを含む追加、変更データが入力され、前記制御機のリセット又は電源投入をかけたとき、前記追加、変更先データに基づいて前記追加、変更データを前記居室親機に対して送信するための制御機ＣＰＵ（３１）を有することを特徴とする集合住宅インターホンシステム。
【請求項３】
前記居室親機は、前記追加、変更データを受信したとき動作プログラムを書き換えるとともに、動作プログラム追加、変更中である旨を前記モニタ上で表示させるための居室親機ＣＰＵ（１４）を有することを特徴とする請求項１または請求項２記載の集合住宅インターホンシステム。
【請求項４】
前記居室親機は、前記居室親機ＣＰＵの制御により前記モニタ上に追加、変更残り時間を文字、アイコンまたは数値で表示するためのタイマ（１５）を有することを特徴とする請求項３記載の集合住宅インターホンシステム。
【請求項５】
前記制御機ＣＰＵは、前記追加、変更データを送信した後に前記居室親機をリセットするリセットコマンドを送信することを特徴とする請求項１乃至請求項４何れか１項記載の集合住宅インターホンシステム。
【請求項６】
前記居室親機は、前記追加、変更データを受信し前記機能の追加、変更が行われたとき、前記追加、変更された機能を前記モニタに表示させることを特徴とする請求項１乃至請求項５何れか１項記載の集合住宅インターホンシステム。
【請求項７】
前記居室親機は、前記モニタに表示された前記追加、変更された機能を実行するためのボタン（１２ａ）を含むタッチパネル（１３）を備えたことを特徴とする請求項６記載の集合住宅インターホンシステム。
【発明の詳細な説明】
【技術分野】
【０００１】
この発明は集合住宅インターホンシステムに係り、特に居室親機の動作プログラムの書き換えが容易な集合住宅インターホンシステムに関する。
【背景技術】
【０００２】
従来、来訪者の映像を録画することのできる集合住宅インターホン装置は、管理室親機、集合玄関機、複数の居室親機、集合玄関機および居室親機をそれぞれ制御するための制御機から構成され、集合玄関機には来訪者が居住者を呼び出すための呼出部、居住者と通話を行なうための集合玄関通話部、来訪者を撮像するための集合玄関カメラが設けられ、各居室親機は集合玄関機からの呼び出しを報知するとともに来訪者と通話するための居室通話部、集合玄関カメラで撮像した映像を表示するモニタを有し、制御機は集合玄関機、居室親機とそれぞれ接続され、集合玄関機および各居室親機をそれぞれ制御している。
【０００３】
このように構成された集合住宅インターホン装置において、管理室親機、集合玄関機、複数の居室親機、制御機の各種機能の設定データまたは（および）制御機の動作プログラムの書換データ、および保守・点検のためのシステム状態監視を実行するデータを、制御機に接続される電話回線を介して送受信させて、該集合住宅インターホン装置を保守・点検する作業者による設定変更を容易にしている（例えば、特許文献１参照）。
【０００４】
【特許文献１】特開２０００−２７０１１３号公報
【発明の開示】
【発明が解決しようとする課題】
【０００５】
しかしながら、このような集合住宅インターホン装置では、居室親機の機能の追加や変更があった場合、各居室親機で動作プログラムを書き換える作業が必要であり、その作業が煩雑であるという難点があった。
【０００６】
本発明が解決しようとする課題は、居室親機の機能の追加や変更があった場合、制御機に居室親機の動作プログラムを入力すれば、全ての居室親機に当該動作プログラムを送信し、書き換えられるようにした集合住宅インターホンシステムを提供することである。
【課題を解決するための手段】
【０００７】
本発明の第１の態様である集合住宅インターホンシステムは、集合玄関に設置され来訪者が居住者を呼び出すための呼出部、居住者と通話を行なうための集合玄関通話部、来訪者を撮像するための集合玄関カメラを有する集合玄関機と、集合玄関機からの呼び出しを報知するとともに来訪者と通話するための居室通話部、集合玄関カメラで撮像した映像を表示するモニタを有する複数の居室親機と、集合玄関機、居室親機がそれぞれ接続され、集合玄関機、居室親機をそれぞれ制御するための制御機とを備え、制御機は、居室親機の機能の追加、変更を行う場合に居室親機の動作プログラムを追加、変更するための追加、変更先データを含む追加、変更データが入力され、追加、変更先データに基づいて追加、変更データを居室親機に対して送信するための制御機ＣＰＵを有するものである。
【０００８】
本発明の第２の態様である集合住宅インターホンシステムは、集合玄関に設置され来訪者が居住者を呼び出すための呼出部、居住者と通話を行なうための集合玄関通話部、来訪者を撮像するための集合玄関カメラを有する集合玄関機と、集合玄関機からの呼び出しを報知するとともに来訪者と通話するための居室通話部、集合玄関カメラで撮像した映像を表示するモニタとを有する複数の居室親機と、集合玄関機、居室親機がそれぞれ接続され、集合玄関機、居室親機をそれぞれ制御するための制御機とを備え、制御機は、居室親機の機能の追加、変更を行う場合に居室親機の動作プログラムを追加、変更するための追加、変更先データを含む追加、変更データが入力され、制御機のリセット又は電源投入をかけたとき、追加、変更先データに基づいて追加、変更データを居室親機に対して送信するための制御機ＣＰＵを有するものである。
【０００９】
本発明の第３の態様は、本発明の第１の態様または第２の態様の集合住宅インターホンシステムにおいて、居室親機が、追加、変更データを受信したとき動作プログラムを書き換えるとともに、動作プログラム追加、変更中である旨をモニタ上で表示させるための居室親機ＣＰＵを有するものである。
【００１０】
また、本発明の第４の態様は、第３の態様である集合住宅インターホンシステムにおいて、居室親機が、居室親機ＣＰＵの制御によりモニタ上に追加、変更残り時間を文字、アイコンまたは数値で表示するためのタイマを有するものである。
【００１１】
本発明の第５の態様は、本発明の第１乃至第４のいずれかの態様の集合住宅インターホンシステムにおいて、制御機ＣＰＵが、追加、変更データを送信した後に居室親機をリセットするリセットコマンドを送信するものである。
【００１２】
本発明の第６の態様は、本発明の第１乃至第５のいずれかの態様の集合住宅インターホンシステムにおいて、居室親機が、追加、変更データを受信し機能の追加、変更が行われたとき、追加、変更された機能をモニタに表示させるものである。
【００１３】
また、本発明の第７の態様は、第６の態様である集合住宅インターホンシステムにおいて、居室親機は、居室親機が、モニタに表示された追加、変更された機能を実行するためのボタンを含むタッチパネルを備えている。
【発明の効果】
【００１４】
本発明の集合住宅インターホンシステムの請求項１、２によれば、居室親機の機能の追加や変更があった場合、制御機に居室親機の動作プログラムを入力すれば、全ての居室親機に当該動作プログラムを送信し、書き換えられるので、作業時間を削減できる。
【００１５】
また、本発明の集合住宅インターホンシステムの請求項３によれば、居室親機では書換作業中であることを表示しているので居住者が作業中に過って操作することを防止できる。
【００１６】
また、本発明の集合住宅インターホンシステムの請求項４によれば、書換作業残り時間を表示されるので、居住者に現況がわかりやすい。
【００１７】
さらに、本発明の集合住宅インターホンシステムの請求項５によれば、制御機ＣＰＵからリセットコマンドを送信されるので、確実にリセットが行われる。
【００１８】
また、本発明の集合住宅インターホンシステムの請求項６によれば、追加、変更された機能がモニタに表示されるので、その内容の確認が容易である。
【００１９】
さらに、本発明の集合住宅インターホンシステムの請求項７によれば、居室親機は、タッチパネルのボタンにより、モニタに表示された追加、変更された機能を実行することができる。
【発明を実施するための最良の形態】
【００２０】
以下、本発明の集合住宅インターホンシステムにおける好ましい実施の形態例について、図面を参照して説明する。
【００２１】
図１に示すように、本発明の集合住宅インターホンシステムは、集合玄関に設置され来訪者が居住者を呼び出すための呼出部４４、居住者と通話を行なうための集合玄関通話部としてのマイク４１、スピーカ４２、来訪者を撮像するための集合玄関カメラ４３を有する複数の集合玄関機４ａ、４ｂ、４ｃ、…と、集合玄関機４ａ、４ｂ、４ｃ、…からの呼び出しを報知するとともに来訪者と通話するための居室通話部としての送受器１１、集合玄関カメラ４３で撮像した映像を表示するモニタ１２を有する複数の居室親機１ａ、１ｂ、１ｃ、…と、エントランスカメラ５、集合玄関機４ａ、４ｂ、４ｃ、…、居室親機１ａ、１ｂ、１ｃ、…がそれぞれ接続され、集合玄関機４ａ、４ｂ、４ｃ、…、居室親機１ａ、１ｂ、１ｃ、…をそれぞれ制御するための制御機３とを備えている。
【００２２】
本発明の集合住宅インターホンシステムにおける居室親機１ａ、１ｂ、１ｃ、…は、図２に示すように、居室親機インターフェース１７、居室親機インターフェース１７を介して制御機３から送られてきた映像データを処理する映像処理回路１６、映像処理回路１６で処理された映像データを表示するモニタ１２、モニタ１２に表示された追加、変更された機能を実行するためのボタン１２ａ（図３参照）を含むタッチパネル１３、後述する追加、変更データを受信したとき動作プログラムを書き換えるとともに動作プログラム追加、変更中である旨をモニタ１２上に表示させるための居室親機ＣＰＵ１４、居室親機ＣＰＵ１４の制御によりモニタ１２上に追加、変更残り時間を文字、アイコンまたは数値で表示するためのタイマ１５、集合玄関機４ａ、４ｂ、４ｃ、…からの呼び出しを報知するとともに来訪者と通話するための通話部１１を備えている。
【００２３】
制御機３は、居室親機１ａ、１ｂ、１ｃ、…の機能の追加、変更を行う場合に、居室親機１ａ、１ｂ、１ｃ、…の動作プログラムを追加、変更するための追加、変更先データを含む追加、変更データが入力され、追加、変更先データに基づいて追加、変更データを居室親機１ａ、１ｂ、１ｃ、…に対して送信するための制御機ＣＰＵ３１を有している。
【００２４】
また、制御機ＣＰＵ３１は、制御機３のリセット又は電源投入をかけたとき、追加、変更先データに基づいて追加、変更データを居室機親機１ａ、１ｂ、１ｃ、…に対して送信するものである。
【００２５】
このように構成された本発明の集合住宅インターホンシステムについての動作を以下に説明する。
【００２６】
なお、通常起動時における集合玄関機４ａ、４ｂ、４ｃ、…、居室親機間１ａ、１ｂ、１ｃ、…の呼出、通話、映像の表示についての動作は従来と同様なので説明を省略する。
【００２７】
本発明の集合住宅インターホンシステムにおいて、例えば、居室親機１ａ、１ｂ、１ｃ、…の機能が変更になった場合や機能の追加があった場合など、居室親機１ａ、１ｂ、１ｃ、…の動作プログラムを変更する必要が生じた場合、まず、動作プログラムを搭載したパーソナルコンピュータを制御機３に接続し、制御機３の制御機ＣＰＵ３１に居室親機１ａ、１ｂ、１ｃ、…の動作プログラムを追加、変更するため追加、変更先データを含む追加、変更データが入力される。
【００２８】
次に、制御機３の電源を起動させる、またはリセットをかけたとき、追加、変更先データに基づいて、これから動作プログラムの追加、変更作業を行なうための追加、変更通知信号を送信する。居室親機１ａ、１ｂ、１ｃ、…の居室親機ＣＰＵ１４が追加、変更通知信号を受信すると現在の動作プログラムを停止させて追加、変更データ待ち状態にする。
【００２９】
なお、ここでいう機能の追加、変更とは、例えばエントランスカメラ５の増設や追加、変更された機能を含む全機能の一覧を示すメニュー表示を指す。
【００３０】
この状態において制御機ＣＰＵ３１は、追加、変更データを送信していく。居室親機インターフェース１７を介して追加、変更データを順次受信すると、居室親機ＣＰＵ１４は動作プログラムを追加、変更していく。
【００３１】
また、この状態で、追加、変更データの大きさを考慮して追加、変更にかかる残り時間をタイマ１５で計時し、動作プログラム追加、変更中である旨とあわせて残り時間をモニタ１２上に表示する。
【００３２】
なお、この残り時間表示は、「残り…秒で終了します」という文字による文章表示や、「10→9→…→1」と順次、数値を切り替えて行なう数値表示、また砂時計のアイコンを用いる表示等、残り時間を表示するものであればどのような表示形態であっても良い。
【００３３】
制御機３の制御機ＣＰＵ３１は、追加、変更データの送信後、追加、変更した動作プログラムを居室親機１ａ、１ｂ、１ｃ、…で有効にするためのリセットコマンドを送信する。
【００３４】
居室親機１ａ、１ｂ、１ｃ、…の居室親機ＣＰＵ１４は、このリセットコマンドを受信すると、追加、変更した動作プログラムを有効にするために居室端末をリセットする。これにより、その後の動作は、最新の動作プログラムに基づいて行なわれるようになる。
【００３５】
なお、動作プログラムの追加、変更を、動作プログラムを搭載したパーソナルコンピュータを制御機３に接続して行なったが、動作プログラムを搭載した記録媒体の接続、動作プログラムＲＯＭの交換によって行っても同様に好適である。
【００３６】
追加、変更データを受信し機能の追加、エントランスカメラ５と集合玄関カメラ４３を切り替える等の変更が行われると、居室親機１ａ、１ｂ、１ｃ、…は、図３（ｂ）に示すように、追加、変更された機能、ここでは、エントランスカメラ５と集合玄関カメラ４３を切り替えるカメラ切替ボタン１２ａをモニタ１２に表示させる。
【００３７】
このように、本発明による集合住宅インターホンシステムでは、制御機３に居室親機１ａ、１ｂ、１ｃ、…の動作プログラムを入力すれば、全ての居室親機１ａ、１ｂ、１ｃ、…に当該動作プログラムを送信し、書き換えられ、居室親機の動作プログラムの書き換えが容易となる。
【図面の簡単な説明】
【００３８】
【図１】本発明による集合住宅インターホンシステムの一実施例の構成を示す図である。
【図２】本発明による集合住宅インターホンシステムの要部の構成を示すブロック図である。
【図３】（ａ）は本発明による集合住宅インターホンシステムの居室親機のモニタを説明する図で、（ｂ）は動作プログラムが変更されてカメラ切替ボタン１２ａが表示された図である。
【符号の説明】
【００３９】
１ａ、１ｂ、１ｃ、…  …居室親機
１１…居室通話部
１２…モニタ
３…制御機
３１…制御機ＣＰＵ
４ａ、４ｂ、４ｃ、…  …集合玄関機
４１、４２…集合玄関通話部
４３…集合玄関カメラ
４４…呼出部
【図１】
2005109803.tif 000003
【図２】
2005109803.tif 000004
【図３】
2005109803.tif 000005